(57)【要約】【課題】構造的に強くすることにより容易に型崩れしないようにして耐久性を伸ばし、デザイン性にも優れて商品価値が高められるようにしたランドセルを提供する。【解決手段】背当て体１と、背当て体１の後面の両側縁部及び下側縁部に前端縁部が固着される主襠部２と、主襠部２の後面を覆うようにして該主襠部２の後端縁部に固着される第一背部３と、第一背部３の後面の両側縁部及び下側縁部に前端縁部が固着される副襠部５と、副襠部５の後面を覆うようにして該副襠部５の後端縁部に固着される第二背部６とを有するランドセルＡであって、主襠部２における両側襠部２ａの後端縁部１９ｂを後側へ凸弧状に膨出し、また、副襠部５における両側襠部５ａの前端縁部２２ａ及び後端縁部２２ｂを主襠部２における両側襠部２ａの後端縁部１９ｂとほぼ平行な曲線となるようにし、第一・第二背部３，６の表面を共に外側へ凸弧状に湾曲させた。【選択図】  図４
2005013513.tif 000002
【特許請求の範囲】
【請求項１】
背当て体と、両側襠部と底襠部とからなりかつ前記背当て体の後面の両側縁部及び下側縁部にその前端縁部が固着される主襠部と、前記主襠部の後面を覆うようにして該主襠部の後端縁部に固着される第一背部と、両側襠部と底襠部とからなりかつ前記第一背部の後面の両側縁部及び下側縁部にその前端縁部が固着される副襠部と、前記副襠部の後面を覆うようにして該副襠部の後端縁部に固着される第二背部とを有するランドセルであって、前記主襠部における両側襠部の後端縁部を後側へ凸弧状に膨出し、また、前記副襠部における両側襠部の前端縁部及び後端縁部を前記主襠部における両側襠部の後端縁部とほぼ平行な曲線となるようにし、前記第一・第二背部の表面を共に外側へ凸弧状に湾曲させたことを特徴とするランドセル。
【請求項２】
背当て体と、両側襠部と底襠部とからなりかつ前記背当て体の後面の両側縁部及び下側縁部にその前端縁部が固着される主襠部と、前記主襠部の後面を覆うようにして該主襠部の後端縁部に固着される第一背部と、両側襠部と底襠部とからなりかつ前記第一背部の後面の両側縁部及び下側縁部にその前端縁部が固着される副襠部と、前記副襠部の後面を覆うようにして該副襠部の後端縁部に固着される第二背部とを有するランドセルであって、前記主襠部における両側襠部の前端縁部を前側へ凸孤状に膨出させると共に該両側襠部の後端縁部を後側へ凸弧状に膨出し、また、前記副襠部における両側襠部の前端縁部及び後端縁部を前記主襠部における両側襠部の後端縁部とほぼ平行な曲線となるようにし、前記背当て体及び第一・第二背部の表面を共に外側へ凸弧状に湾曲させたことを特徴とするランドセル。
【発明の詳細な説明】
【０００１】
【発明の属する技術分野】
本発明は、構造的に強くして耐久性を伸ばすことができるようにしたランドセルに関するものである。
【０００２】
【従来の技術】
従来、ランドセルとして例えば次のような構成のものがある。このランドセルは、背当て体と、該背当て体の後面の両側に設けられる側襠部と、さらにその後部に設けられる背部と、覆い蓋と、肩掛けベルトとを有している。そして、前記背当て体と背部及び両側の側襠部によって周囲を囲まれることにより、筆箱や教科書等を収納する主収納部が成形されている。（特許文献１参照。）。
【０００３】
【特許文献１】
特開２０００−６０６２０号公報（第３頁、図１）
【０００４】
【発明が解決しようとする課題】
ところで、特許文献１のようなランドセルにあっては、背当て体、両側襠部および背部により成形される主収納部は上面が開口する縦長の直方体形状をなしており、前記背当て体、襠部、背部は厚紙製の芯材の表裏面に皮革または合成皮革、合成樹脂フィルムを接着剤により貼着した構成からなる。このように主収納部の周囲を囲う構成部材は材質が比較的柔らかく、しかも上面が開口した直方体形状をなしている。このため、背当て体は多重構造となることから比較的強い構造となっているものの、特に両側襠部および背部の上部側は強度的に弱い。よって、長年使用している間に人に押されたり粗雑に扱われることによりランドセルの後側または両側から繰返し無用な押圧力が働くと、襠部特に両側襠部がヘタルなどして外側へ無用に膨らんで型崩れを起してしまい、ランドセルの耐久性に劣るばかりか外観上の見栄えも悪くなるという課題がある。
【０００５】
そこで、本発明は上記課題に鑑みてなされたもので、構造的に強くすることにより容易に型崩れしないようにして耐久性を伸ばすと共に見栄えの良い状態を保ち、更にはデザイン性にも優れて商品価値も高められるようにしたランドセルを提供することを目的とするものである。
【０００６】
【課題を解決するための手段】
かかる目的を達成するため本発明のランドセルは、背当て体と、両側襠部と底襠部とからなりかつ前記背当て体の後面の両側縁部及び下側縁部にその前端縁部が固着される主襠部と、前記主襠部の後面を覆うようにして該主襠部の後端縁部に固着される第一背部と、両側襠部と底襠部とからなりかつ前記第一背部の後面の両側縁部及び下側縁部にその前端縁部が固着される副襠部と、前記副襠部の後面を覆うようにして該副襠部の後端縁部に固着される第二背部とを有するランドセルであって、前記主襠部における両側襠部の後端縁部を後側へ凸弧状に膨出し、また、前記副襠部における両側襠部の前端縁部及び後端縁部を前記主襠部における両側襠部の後端縁部とほぼ平行な曲線となるようにし、第一・第二背部の表面を共に外側へ凸弧状に湾曲させた。
【０００７】
このように、両側襠部の後端縁部を後側へ凸弧状に膨出させて第一・第二背部の表面を共に外側へ凸弧状に湾曲させているので、単に直方体形状のものに比較し構造的に強いものとなる。よって、長年使用している間に人に押されたり粗雑に扱われることにより例えばランドセルの後方または側方から無用な押圧力が繰り返し働いたとしても、保形性に優れ比較的型崩れが少なく、見栄えの良い状態が長く維持できる。
【０００８】
また、主襠部における両側襠部の前端縁部も前側へ凸孤状に膨出させて背当て体の表面も外側へ凸弧状に湾曲させるようにしてもよく、この場合も前記と同様の効果を達成する。更に、ランドセルを側面から見た場合、主襠部における両側襠部の前後端縁部がそれぞれ凸弧状に膨出していることから、これら曲線が背当て体の上端縁部に連接される覆い蓋の曲線と外観上よくマッチしてデザイン性にも優れ、商品価値が向上する。
【０００９】
【発明の実施の形態】
以下、本発明に係るランドセルの実施の形態を図面に基づき説明する。図１は覆い蓋を開けた状態を示すランドセルの斜視図である。ランドセルＡは、縦長方形状の背当て体１を有し、該背当て体１の後面にその上側縁を残し左右側縁部および下側縁部に主襠部２の前端縁部が固着、具体的には縫着される。また、主襠部２の後面を覆うようにして該主襠部２の後端縁部に第一背部３の左右側縁部と下側縁部とが縫着される。これにより、上面が開口し筆箱や教科書を収納する主収納部４が成形される。
【００１０】
次に、前記第一背部３の後面であってその上側縁を残し左右側縁部および下側縁部に副襠部５の前端縁部が縫着される。また、副襠部５の後面を覆うようにして該副襠部５の後端縁部に第二背部６が縫着される。これにより、上面が開口し三角定規等の小物が収納される副収納部７が成形される。更に、第二背部６の後面にポケット部８が縫着される。ポケット部８には、上面と両側面に連続する差し入れ口９が開設され、該差し入れ口９にはこれを自在に開閉するファスナー１０が装着されている。１１はポケット部８の後面に設けられる窓孔であり、透明なシートにより覆われその中に住所や名前を記入する名札１２が入れられるようになっている。
【００１１】
前記背当て体１の上端縁部には前記主収納部４および副収納部７の後面を覆い各上面開口を塞ぐ覆い蓋１３が縫着して連接され、先端に係止具１４が取着されている。この係止具１４は主襠部２における底襠部２ｂの外面に固着された掛止金具１５に係脱自在に係合できるようになっている。背当て体１の前面における上部中央に左右一対の肩掛ベルト１６，１６の上端部が取着され、各肩掛けベルト１６，１６の下端部は前記掛止金具１５の両側に取着されている。１７は、両基端部が背当て体１の側縁に固着されると共に締止具１８により両先端部を第二背部６の前面で締止めできるようにした保持バンドである。なお、前記背当て体１の前側には弾性部材（図示せず。）が内装され、ランドセルＡを背負ったときにクッション性が持たせられるようになっている。
【００１２】
図２に示すように前記主襠部２は、左右一対の側襠部２ａ，２ａと、これらと連接しその中央に位置する底襠部２ｂとからなる。また、副襠部５は、左右一対の側襠部５ａ，５ａと、これらと連接しその中央に位置する底襠部５ｂとからなる。そこで、本発明にあっては、図２、図３（イ）〜（ハ）に示すように、主襠部２における両側襠部２ａ，２ａの前端縁部１９ａを前側へ凸孤状に膨出させると共に同じく後端縁部１９ｂを同様に後側へ凸弧状に膨出させている。また、両側襠部２ａ，２ａの上端縁部１９ｃは後方へ進むにつれ緩やかに下り曲線となるように成形される。
【００１３】
前記第一背部３は、背当て体１とほぼ同じ大きさの基板部２０ａの両側縁と下側縁に前方へ折れ曲る取付片２０ｂが設けられ、左右の折曲片２０ｂ，２０ｂには前端縁にその長手方向に沿って所定の間隔離して列設される切り込み２１が設けられている。これは、第一背部３を主襠部２の弧状の後端縁部に縫着するとき、基板部２０ａが後側へ反りこれに伴い左右側の取付片２０ｂ，２０ｂが長手方向に沿って折れ曲がり皺が生じて支障を来たすおそれがあることから、その分を逃がすためである。
【００１４】
副襠部５は、両側襠部５ａ，５ａの前端縁部２２ａが後側へ凹弧状に窪み後端縁部２２ｂが後側へ凸弧状に膨出して、これら前後端縁部２２ａ，２２ｂが前記主襠部２における両側襠部２ａ，２ａの後端縁部１９ｂと同一平面内でほぼ平行な曲線となるように成形されている。また、両側襠部５ａ，５ａの上端縁部２２ｃは後方へ進むにつれ緩やかに下り傾斜している。第二背部６も前記第一背部３とほぼ同じ形状からなるので、同一部位は同一番号を付すことにより詳しい説明は省略する。
【００１５】
そして、背当て体１の後側に主襠部２が縫着して設けられ、更に、主襠部２の後側に第一背部３が縫着して設けられる。次に、第一背部３の後側に副襠部５が縫着して設けられ、副襠部５の後側に第二背部６が縫着して設けられる。図２、図３で示される主・副襠部２，５や第一・第二背部３，６はいずれも基材を示すもので、製品とするときは、図５に示すように例えば内側に合成樹脂フィルム２３、外側に合成皮革２４が使用され、互いに重合されて所定個所に一体に縫着される。最後に第二背部６の後面にポケット部８が前端縁部を縫着することにより設けられる。
【００１６】
これにより、図４に示すように背当て体１及び各第一・第二背部３，６の表面が共に外側へ凸弧状に湾曲することとなり、単に直方体形状のものに比較し構造的に強くなる。例えば図５に示すようにランドセルＡに後方からの押圧力ａが加わった場合、主襠部２における両側襠部２ａ，２ａの前後両端縁部１９ａ，１９ｂがそれぞれ外側へ凸弧状に膨出した形状であり、しかも、背当て体１および第一・第二背部３，６の表面も共に外側に凸弧状に湾曲していることから、前記押圧力が分散され易く、両側襠部２ａ，２ａも第一・第二背部３，６も容易に曲がり難い。
【００１７】
また、例えば図５に示すようにランドセルＡに両側から押圧力ｂが加わった場合、前記したように背当て体１および第一・第二背部３，６の表面が共に外側に凸弧状に湾曲しており、その表面に平行な押圧力ｂが加わるから、第一・第二背部３，６が容易に曲がり難い。これらにより、いずれからの押圧力に対しても比較的強い反発力を発揮することとなり、長年ランドセルＡを使用しても、所謂ヘタリの発生する可能性が低いと共に比較的型崩れも少なく見栄えの良い状態が長く維持できることから、耐久性を伸ばすことができる。
【００１８】
ランドセルＡを側面から見た場合、両側襠部２ａ，２ａの前後端縁部１９ａ，１９ｂおよび第一・第二背部３，６がそれぞれ弧状に湾曲していることから、これらと主収納部４と副収納部５の後面とそれら上端開口を覆った覆い蓋１３の曲線とが外観上よくマッチして全体的なデザイン性にも優れ、商品価値も向上する。
【００１９】
図１、図５に示すように第一背部３の上端縁部と主襠部２における両側襠部２ａ，２ａの上端縁部には、それら縁部に沿って合成皮革２４の内側に位置して合成樹脂製の補強板２５ａ，２５ｂが内装されている。これは、主収納部４の上端開口の周囲を形成する両側襠部２ａ，２ａおよび第一背部３の上側部がヘタルのを防止するためである。
【００２０】
本実施の形態にあっては、主襠部２における両側襠部２ａ，２ａの前後端縁部１９ａ，１９ｂを共に凸弧状に膨出して、第一背部３とともに背当て体１も湾曲させるようにした。しかし、この背当て体１は本来他の部位に比較して強度的に強くヘタルことが少ないことから、型崩れを防止するという点に絞れば、強いて背当て体１を湾曲させる必要はなく、真直ぐであっても良い。ただ、覆い蓋１３の曲線とのバランスといったランドセル全体のデザイン性を考慮すれば、背当て体１の両側上部を少し後側へ傾斜させておくと良い。
【００２１】
【発明の効果】
以上説明したように本発明のランドセルは、両側襠部の後端縁部を後側へ凸弧状に膨出させ、背部の表面を外側へ凸弧状に湾曲させているので、単に直方体形状のものに比較し構造的に強く長年使用している間に例えばランドセルの後方または側方から繰返し無用な押圧力が働いたとしても、保形性に優れ比較的型崩れが少ないと共に耐久性を伸ばすことができ、見栄えの良い状態が長く維持できるという効果がある。
【００２２】
また、主襠部における両側襠部の前端縁部を前側へ凸孤状に膨出させると共に該両側襠部の後端縁部を後側へ凸弧状に膨出させ、これにより背部と共に背当て体もその表面を外側へ凸弧状に湾曲させるようにしても、前記と同様に保形性に優れ比較的型崩れが少ないと共に耐久性を伸ばすことができる。更に、ランドセルを側面から見た場合、主襠部における両側襠部の前後端縁部がそれぞれ弧状に湾曲していることから、主収納部と副収納部の後面とそれら上端開口を覆った覆い蓋との曲線とが外観上よくマッチしてデザイン性にも優れ、商品価値も向上するという効果がある。
【図面の簡単な説明】
【図１】覆い蓋を開けた状態を示すランドセルの斜視図。
【図２】主収納部と副収納部とを分解して示す斜視図。
【図３】（イ）主襠部の展開図。
（ロ）副襠部の展開図。
（ハ）第一背部の展開図。
【図４】ランドセルの側面図。
【図５】図４のＸ−Ｘ線断面図。
【符号の説明】
１                  背当て体
２                  主襠部
２ａ                側襠部
２ｂ                底襠部
３                  第一背部
５                  副襠部
５ａ                側襠部
５ｂ                底襠部
６                  第二背部
１９ａ              前端縁部
１９ｂ              後端縁部
２２ａ              前端縁部
２２ｂ              後端縁部
Ａ                  ランドセル
【図１】
2005013513.tif 000003
【図２】
2005013513.tif 000004
【図３】
2005013513.tif 000005
【図４】
2005013513.tif 000006
【図５】
2005013513.tif 000007